(57)【要約】【課題】  カウンターを薄型化させて下方の吐水空間を広く確保することができ、しかも意匠性が向上する浴室を提供する。【解決手段】  浴槽フランジ３ａと同じ高さで洗い場７側へ平板状のカウンター８を延設した浴室１において、水栓本体６を浴槽エプロン４内に設置し、水栓本体６を遠隔操作する操作部１０を設けるとともに、吐水口９はカウンター８に設置し、この吐水口９と水栓本体６とをカウンター８内に通した配管１１，１２で繋いで構成する。【選択図】  図１
2006288505.tif 000002
【特許請求の範囲】
【請求項１】
浴槽フランジと同じ高さで洗い場側へ平板状のカウンターを延設した浴室において、水栓本体を浴槽エプロン内に設置し、該水栓本体を遠隔操作する操作部を設けるとともに、吐水口は前記カウンターに設置し、該吐水口と前記水栓本体とを配管で繋いだことを特徴とする浴室。
【請求項２】
前記カウンターの下部に桶台を設けたことを特徴とする請求項１に記載の浴室。
【請求項３】
水栓本体を床パン上の浴槽エプロン内に設置し、該水栓本体を遠隔操作する操作部と吐水口とを洗い場の壁面に設置し、該吐水口と前記水栓本体とを配管で繋いだことを特徴とする浴室。
【発明の詳細な説明】
【技術分野】
【０００１】
本発明は、浴室に関するものである。
【背景技術】
【０００２】
従来、特許文献１に開示されているように、操作部と分離した水栓本体を、浴槽エプロンの内部やカウンター内に収めて構成した浴室が存在する。
【特許文献１】特開２００４−１００４２７号公報
【発明の開示】
【発明が解決しようとする課題】
【０００３】
従来の構造では、洗い場に設けられるカウンター内部に嵩張る水栓本体を収めると、カウンターの厚みが大となり、カウンターの下のスペースを有効に使えなくなるという問題点があった。
また、水栓機能を備えたカウンターをできるだけ薄く設計することは業界の願望でもあった。
【課題を解決するための手段】
【０００４】
本発明は上記従来の問題点に鑑み案出したものであって、カウンターを薄くして、カウンターの下のスペースを有効利用することができ、しかも意匠性が向上する浴室を提供するものであり、その請求項１は、浴槽フランジと同じ高さで洗い場側へ平板状のカウンターを延設した浴室において、水栓本体を浴槽エプロン内に設置し、該水栓本体を遠隔操作する操作部を設けるとともに、吐水口は前記カウンターに設置し、該吐水口と前記水栓本体とを配管で繋いだことである。
【０００５】
また請求項２は、前記カウンターの下部に桶台を設けたことである。
【０００６】
また請求項３は、水栓本体を床パン上の浴槽エプロン内に設置し、該水栓本体を遠隔操作する操作部と吐水口とを洗い場の壁面に設置し、該吐水口と前記水栓本体とを配管で繋いだことである。
【発明の効果】
【０００７】
本発明は、浴槽フランジと同じ高さで洗い場側へ平板状のカウンターを延設して、水栓本体を浴槽エプロン内に設置し、水栓本体を遠隔操作する操作部を設けるとともに、吐水口はカウンターに設置し、吐水口と水栓本体とを配管で繋いだことにより、浴槽フランジと同じ高さに薄型のカウンターを、すっきりとした収まりを実現して設置することができ、浴室の意匠性が向上され、また、嵩張る水栓本体を浴槽エプロン内に設置することで、カウンターは厚みの薄いもので対応でき、カウンターの下のスペースを広く確保できて、吐水口下方の吐水空間を広くすることができ、カウンターの下の床上に背の高いシャンプーボトル等を置くことができるものとなる。
また、水栓の操作部を使い易い自由な位置に設置することができるものとなり、使い勝手が向上するものとなる。
また、熱湯が通り熱くなる水栓本体を、手が触れることのない浴槽エプロン内に置くことで、火傷等の不安を軽減できるものとなる。
【０００８】
また、カウンターの下部に桶台を設けたことにより、カウンターの下部の広い吐水空間に桶台を有効に設置して、カウンターと桶台間の空間を広く確保でき、桶台を比較的高い位置に設けることができて、使い易くなり、また、桶台の底面と床との隙間を大きくとることができ、掃除がし易いものとなる。
【０００９】
また、水栓本体を床パン上の浴槽エプロン内に設置し、水栓本体を遠隔操作する操作部と吐水口とを洗い場の壁面に設置し、吐水口と水栓本体とを配管で繋いだことにより、水栓本体を浴槽エプロンの内部に収めて一次配管と接続し、シャワー配管，カラン配管を壁裏に導いて、操作部と吐水口のみを洗い場の壁面に露出させ、極めて意匠性に優れた高級感のある浴室とすることができ、壁面から露出する部位が少ないため、掃除が楽なものとなり、自由な位置等に操作部及び吐水口を設置することができ、使用勝手が良好なものとなる。また、一次配管の接続を浴槽エプロン内でできるため、漏水のリスクを軽減でき、熱湯が通り熱くなる水栓本体は手が触れ難い位置に配置されるため、火傷の不安を軽減できるものとなる。
【実施例】
【００１０】
以下、本発明の実施例を図面に基づいて説明する。
図１は、第１実施例の浴室の要部斜視構成図である。
浴室１は、壁面を構成する壁パネル２ａの内側に浴槽３が設置され、この浴槽３の上面のフランジ３ａから、フランジ３ａと同じ高さで洗い場７側の壁パネル２ｂに沿って、平板状のカウンター８が延設されている。
浴槽３の洗い場７側に立設されるエプロン４の裏側には、床面から一次配管である給湯配管５ａと給水配管５ｂが立設配管されており、この給湯配管５ａ及び給水配管５ｂには、サーモ，止水切替機構を備えた水栓本体６が接続されており、水栓本体６は、浴槽３とエプロン４間の空間内に隠蔽された状態で設置されている。
この水栓本体６からカラン配管１１がカウンター８内へ配管されており、カウンター８の中央部に取り付けられた吐水口９にカラン配管１１が接続されている。
【００１１】
また、水栓本体６からカウンター８内を通してシャワー配管１２が配管され、シャワー配管１２にはホース１３を介してハンドシャワー１４が接続されている。
また、カウンター８の前面には、操作部１０が設けられており、この操作部１０は、例えば温調スイッチ１０ａとシャワースイッチ１０ｂと吐水スイッチ１０ｃで構成されて、これらのスイッチ１０ａ，１０ｂ，１０ｃと水栓本体６とを接続する操作部配線１５がカウンター８内を通して配線されている。
なお、操作部１０は、操作部配線１５に替えて、ワイヤー等で機械的に水栓本体６と接続されたものであっても良く、また、無線で操作部の各スイッチ１０ａ，１０ｂ，１０ｃから操作信号を水栓本体６に送るような構成としても良く、そのような場合は、操作部配線１５は不要となる。
【００１２】
このような構成によれば、浴槽フランジ３ａと同じ高さで、すっきりとした状態でカウンター８を設置することができ、また、カウンター８には、吐水口９と操作部１０と内部の配管１１，１２が設けられるのみであり、カウンター８は上下寸法の薄いものとすることができ、カウンター８の下方の吐水空間を広く確保することができて、カウンター８の下方の洗い場７の床面に、背の高いシャンプーボトル等を置くことができるものとなる。
【００１３】
また、嵩張る水栓本体６は、エプロン４内に隠蔽されているため、火傷等を負う不安がなくなり、エプロン４内で給湯配管５ａと給水配管５ｂに水栓本体６が接続されているため、カラン配管１１，シャワー配管１２には圧がかからず、漏水の可能性を低減できるものとなる。
【００１４】
次に、図２は変更例を示すものであり、図２では、カウンター８の下方に、洗い場７床面から浮かせた位置に桶台１６を設置したものであり、この桶台１６上に洗面器を置いて、吐水口９から洗面器内に良好に吐水することができるものである。
カウンター８が薄型であるため、桶台１６とカウンター８間の空間を広く取ることができ、桶台１６を比較的高い位置に設けることができて使い易いものとなり、桶台と洗い場７床面との隙間も大きく取れるために、掃除がし易いものとなる。
【００１５】
なお、前記スイッチ１０ａ，１０ｂ，１０ｃで構成される操作スイッチ１０に替えて、壁パネル２ｂに、同様なスイッチを備えたリモコン１７を自由な位置に設けて、リモコン１７から無線で水栓本体６を操作し、吐水口９から良好に吐水できるように構成することもでき、更には、壁パネル２ｂに、リモコン温調ハンドル１８ａ、及びシャワー，吐水切替ハンドル１８ｂを設けて、このハンドル１８ａ，１８ｂから回転信号を水栓本体６に飛ばして、水栓本体６を操作できるように構成することもでき、ハンドル１８ａ，１８ｂは使い易い自由な位置に設置することができ、操作性が良好化し、且つ見栄え性も良好なものとなる。
【００１６】
次に、図３は第２実施例を示すものであり、図３の浴室では、浴槽３側の壁パネルが横幅寸法の短い短尺壁パネル２ａで構成されており、この短尺壁パネル２ａと壁パネル２ｂとの合わせ部Ｐの洗い場７側に、水栓本体６を配置させて、この水栓本体６からカラン配管１１及びシャワー配管１２を壁パネル２ｂの裏側へ引き出して配管させ、更に、水栓本体６と温調ハンドル１８ａ，シャワー，吐水切替ハンドル１８ｂを接続する配線１５も壁パネル２ｂの裏側に配線させたものである。
【００１７】
即ち、合わせ部Ｐの裏側に存在する壁パネル補強フレームを迂回させて配管及び配線するためには、壁パネルと建築躯体との隙間を大きく確保せねばならないために、壁パネル２ａ，２ｂの合わせ部Ｐを避けて、壁パネル２ｂの裏側にコンパクトに配管及び配線できるように構成したものである。
【００１８】
なお、洗い場７側の壁パネル２ｂには、吐水口９が露出状に取り付けられており、吐水口９にカラン配管１１が接続されている。
また、シャワー配管１２は、壁パネル２ｂに露出状に取り付けたシャワー取出し口１２ａに接続されており、このシャワー取出し口１２ａに、ハンドシャワー１４のホース１３が接続されている。
【００１９】
本例では、壁パネル２ｂに横一列状に、シャワー取出し口１２ａと吐水口９と温調ハンドル１８ａとシャワー，吐水切替ハンドル１８ｂのみが露出して、極めてすっきりとした高級感のある浴室を形成させることができ、これらの下方に桶台１６が設置されている。
また、水栓本体６は浴槽のエプロン４の裏側に隠蔽されており、火傷等の心配のない位置に配置されている。
【００２０】
なお、壁パネル２ｂの裏側に配管されるカラン配管１１及びシャワー配管１２は、水栓本体６の下流側の２次配管であるため、これらの配管には水圧がかからないために漏水の心配はなく、カラン配管１１及びシャワー配管１２は、ゴム管等で構成することもできるものである。
【００２１】
なお、図４は、図３の変更例である。
図４では、壁パネル２ａと壁パネル２ｂを同一寸法のもので構成して、壁パネル２ａと壁パネル２ｂの合わせ部Ｐの裏側に配管を跨がせることができない場合に、浴槽３のエプロン４の裏側に設置した水栓本体６から、壁パネル２ｂに設置した桶台１６内に、カラン配管１１及びシャワー配管１２の一部を引き出し、更に、桶台１６の内部から壁パネル２ｂの裏側に、カラン配管１１及びシャワー配管１２を引き出して配管したものであり、洗い場７側の壁パネル２ｂには、シャワー配管１２の接続されるシャワー取出し口１２ａと、カラン配管１１が接続される吐水口９と、壁裏に配線される操作部配線１５が接続されるハンドル１８ａ，１８ｂのみが露出して、極めてすっきりとした意匠性の向上した洗い場を形成させることができるものとなる。
【００２２】
なお、この場合も、カラン配管１１及びシャワー配管１２は、水栓本体６の下流側の２次側配管であるため、圧力がかかっていないので漏水の心配はなく、圧力がかかっている一次側の給湯配管５ａと給水配管５ｂには、エプロン４の裏側で水栓本体６が接続されているため、漏水の可能性も軽減できるものとなり、火傷等の不安を軽減できるものである。
【図面の簡単な説明】
【００２３】
【図１】第１実施例の浴室の要部斜視構成図である。
【図２】第１実施例の変更例の浴室の要部斜視構成図である。
【図３】第２実施例の浴室の要部斜視構成図である。
【図４】図３の変更例を示す浴室の要部斜視構成図である。
【符号の説明】
【００２４】
１  浴室
２ａ，２ｂ  壁パネル
３  浴槽
３ａ  フランジ
４  エプロン
５ａ  給湯配管
５ｂ  給水配管
６  水栓本体
７  洗い場
８  カウンター
９  吐水口
１０  操作部
１１  カラン配管
１２  シャワー配管
１２ａ  シャワー取出し口
１３  ホース
１４  ハンドシャワー
１５  操作部配線
１６  桶台
１７  リモコン
１８ａ，１８ｂ  リモコンハンドル
Ｐ  合わせ部
【図１】
2006288505.tif 000003
【図２】
2006288505.tif 000004
【図３】
2006288505.tif 000005
【図４】
2006288505.tif 000006